(57)【要約】【課題】イメージ信号の抑圧が適切に図られる一方で、消費電力の低減についても十分な特性を得ることができる受信装置および受信方法を提供する。【解決手段】受信信号を周波数変換回路１３０で中間周波信号へと周波数変換し、この中間周波信号に含まれるイメージ信号をイメージ除去回路１５０によって除去するが、イメージ信号レベル検出回路１６０によって検出されるイメージ信号のレベルに応じて、イメージ除去回路１５０中の回路を部分的に停止する等して作動態様を切替え、この停止に相応する消費電力の節減を図る。【選択図】図１
2007312178.tif 000002
【特許請求の範囲】
【請求項１】
受信信号を該受信信号よりも周波数の低い信号へと周波数変換する周波数変換回路を備
えた受信装置であって、前記周波数変換回路で周波数変換された前記信号に含まれるイメ
ージ信号を除去するイメージ除去回路と、前記イメージ信号のレベルを検出するイメージ
信号レベル検出回路と、を有し、前記イメージ除去回路は前記イメージ信号レベル検出回
路の検出出力に応じた作動形態で作動するように構成されていることを特徴とする受信装
置。
【請求項２】
前記イメージ除去回路は、一方の系統と他方の系統との間で信号の位相が直交するよう
に設定された２つの系統を有し、且つ、該２つの系統に対応する複素フィルタを備え、前
記複素フィルタによってイメージ信号を除去するように構成されていることを特徴とする
請求項１に記載の受信装置。
【請求項３】
前記イメージ除去回路は、２つの系統を有し、且つ、該２つの系統の何れかに移相器が
介挿され、該移相器が介挿されている系統と介挿されていない系統との各出力を加算して
イメージ信号を除去するように構成されていることを特徴とする請求項１に記載の受信装
置。
【請求項４】
前記イメージ除去回路の前記２つの系統は、各系統に所定の周波数の帯域フィルタが介
挿されていることを特徴とする請求項３に記載の受信装置。
【請求項５】
受信信号を前記周波数変換回路に導くように少なくとも何れか一方の系統には移相器が
介挿された２つの搬送信号伝送系統が備えられ、前記イメージ除去回路は、前記２つの搬
送信号伝送系統に対応する２つの系統を備え、該２つの系統の各出力を加算してイメージ
信号を除去するように構成されていることを特徴とする請求項１に記載の受信装置。
【請求項６】
前記イメージ除去回路の２つの系統は、各系統に所定の周波数の帯域フィルタが介挿さ
れていることを特徴とする請求項５に記載の受信装置。
【請求項７】
前記イメージ除去回路は、前記イメージ信号レベル検出回路の検出出力に応じて前記２
つの系統のうちの何れか一方の系統に対する作動電源の供給を断つようにして作動形態を
切替えるように構成されていることを特徴とする請求項２〜６の何れか一項に記載の受信
装置。
【請求項８】
前記イメージ除去回路は、前記イメージ信号レベル検出回路の検出出力に応じて前記２
つの系統のうちの何れか一方の系統に対する作動電源の供給を断つと共に当該一方の系統
を他方の系統から絶縁するようにして作動形態を切替えるように構成されていることを特
徴とする請求項２〜６の何れか一項に記載の受信装置。
【請求項９】
受信信号を該受信信号よりも周波数の低い信号へと周波数変換する処理を含む信号処理
を行う受信方法であって、前記周波数変換する処理を含む信号処理により処理された前記
信号に含まれるイメージ信号を除去するイメージ除去回路の作動形態を当該イメージ信号
のレベルの検出出力に応じて変更すること特徴とする受信方法。
【発明の詳細な説明】
【技術分野】
【０００１】
本発明は、搬送波の受信信号をダウンコンバートして中間周波信号を生成するような周
波数変換処理を含む信号処理を行う受信装置および受信方法に関し、特に、消費電力の抑
制に関して優れた特性を示す受信装置および受信方法に関する。
【背景技術】
【０００２】
例えばスーパーヘテロダイン方式の受信装置のように周波数変換処理機能部を含む通信
装置においても、消費電力低減の一般的な要請は常に存在し、可搬型の受信装置等におい
ては、この要請には殊更に強いものがある。周波数変換処理機能部の中核をなすミキサと
してイメージリジェクションミキサを適用した受信装置において、上述のような要請に応
え、低消費電力化を図ろうとする提案も従来よりなされている。
【０００３】
例えば、周知のＣＲ格子を適用した回路に替えて、インダクタと抵抗による格子回路を
適用することによって低消費電力化を図ろうとする提案がある。この提案では、イメージ
リジェクションミキサに位相差を有する２系統に分配されたローカル信号を入力し、該２
系統のローカル信号と夫々位相差を有する各高周波信号とをミキシングすることによって
９０度の位相差を有する２系統の中間周波電流信号を得るように構成し、この位相差をイ
ンダクタと抵抗との格子回路である移相手段を適用して発生させ、該位相差のある両中間
周波電流信号を加算手段で加算してイメージが抑圧された出力を得るようにしている（例
えば特許文献１参照）。
【特許文献１】特開２００１−２８４９６８号公報
【発明の開示】
【発明が解決しようとする課題】
【０００４】
しかしながら、特許文献１に提案されたような技術では、９０度の位相差を有する２系
統の信号を扱うために、この２系統の信号に係る信号処理系統が双方共に常時作動してお
り、消費電力の抑制といった視点からは必ずしも十分な特性を得るに到れない。
本発明は叙上のような状況に鑑みてなされたものであり、イメージ信号の抑圧が適切に
図られる一方で、消費電力の低減についても十分な特性を得ることができる受信装置およ
び受信方法を提供することを目的としている。
【課題を解決するための手段】
【０００５】
上記課題を解決するべく、本願では次に列記するような技術を提案する。
（１）受信信号を該受信信号よりも周波数の低い信号へと周波数変換する周波数変換回路
を備えた受信装置であって、前記周波数変換回路で周波数変換された前記信号に含まれる
イメージ信号を除去するイメージ除去回路と、前記イメージ信号のレベルを検出するイメ
ージ信号レベル検出回路と、を有し、前記イメージ除去回路は前記イメージ信号レベル検
出回路の検出出力に応じた作動形態で作動するように構成されていることを特徴とする受
信装置。
【０００６】
上記（１）の受信装置では、受信信号を周波数変換回路によって該受信信号よりも周波
数の低い信号へと周波数変換し、この信号に含まれるイメージ信号をイメージ除去回路に
よって除去するが、イメージ信号レベル検出回路によって検出されるイメージ信号のレベ
ルに応じて、イメージ除去回路におけるイメージ信号除去の作動態様は切替えられる。イ
メージ信号のレベルが所定値を下回るときにはイメージ除去回路の動作を部分的に停止す
る等の作動態様の切替えを行えば、この停止に相応する消費電力の節減が図られる。
【０００７】
（２）前記イメージ除去回路は、一方の系統と他方の系統との間で信号の位相が直交する
ように設定された２つの系統を有し、且つ、該２つの系統に対応する複素フィルタを備え
、前記複素フィルタによってイメージ信号を除去するように構成されていることを特徴と
する。
上記（２）の受信装置では、（１）の受信装置による作用に関して特に、一方の系統と
他方の系統との間で信号の位相が直交するように設定された２つの系統を有する信号処理
系を経てイメージ信号の除去が行われる。
【０００８】
（３）前記イメージ除去回路は、２つの系統を有し、且つ、該２つの系統の何れかに移相
器が介挿され、該移相器が介挿されている系統と介挿されていない系統との各出力を加算
してイメージ信号を除去するように構成されていることを特徴とする（１）の受信装置。
上記（３）の受信装置では、（１）の受信装置による作用に関して、特に、何れかに移
相器が介挿された２つの系統による信号処理が行われ、移相器が介挿されている系統と介
挿されていない系統との各出力を加算してイメージ信号の除去が行われる。
【０００９】
（４）前記イメージ除去回路の前記２つの系統は、各系統に所定の周波数の帯域フィルタ
が介挿されていることを特徴とする（３）の受信装置。
上記（４）の受信装置では、（３）の受信装置による作用に関して、特に、イメージ除
去回路の２つの系統の信号は各系統の所定の周波数の帯域フィルタによって濾波され、仕
様に良く適合した帯域の信号として処理に付される。
【００１０】
（５）受信信号を前記周波数変換回路に導くように少なくとも何れか一方の系統には移相
器が介挿された２つの搬送信号伝送系統が備えられ、前記イメージ除去回路は、前記２つ
の搬送信号伝送系統に対応する２つの系統を備え、該２つの系統の各出力を加算してイメ
ージ信号を除去するように構成されていることを特徴とする（１）の受信装置。
上記（５）の受信装置では、（１）の受信装置による作用に関して、特に、受信信号は
何れか一方の系統には移相器が介挿された２つの搬送信号伝送系統によって周波数変換回
路に導かれ、これら２つの搬送信号伝送系統に対応する２つの系統を有する信号処理系を
経て該２つの系統の各出力が加算され、イメージ信号の除去が行われる。
【００１１】
（６）前記イメージ除去回路の２つの系統は、各系統に所定の周波数の帯域フィルタが介
挿されていることを特徴とする（５）の受信装置。
上記（６）の受信装置では、（５）の受信装置による作用に関して、特に、イメージ除
去回路の２つの系統の信号は各系統の所定の周波数の帯域フィルタによって濾波され、仕
様に良く適合した帯域の信号として処理に付される。
【００１２】
（７）前記イメージ除去回路は、前記イメージ信号レベル検出回路の検出出力に応じて前
記２つの系統のうちの何れか一方の系統に対する作動電源の供給を断つようにして作動形
態を切替えるように構成されていることを特徴とする（２）〜（６）の何れか一に記載の
受信装置。
上記（７）の受信装置では、（２）〜（６）の何れか一に記載の受信装置による作用に
関して、特に、イメージ信号レベル検出回路の検出出力が、例えばイメージ信号のレベル
が所定値を下回ることを示す値であるときには、イメージ除去回路に対して部分的に作動
電源の供給を断つように作動態様を切替えるため、これによる給電の停止に相応して消費
電力の節減が図られる。
【００１３】
（８）前記イメージ除去回路は、前記イメージ信号レベル検出回路の検出出力に応じて前
記２つの系統のうちの何れか一方の系統に対する作動電源の供給を断つと共に当該一方の
系統を他方の系統から絶縁するようにして作動形態を切替えるように構成されていること
を特徴とする（２）〜（６）の何れか一に記載の受信装置。
上記（８）の受信装置では、（２）〜（６）の何れか一に記載の受信装置による作用に
関して、特に、イメージ信号レベル検出回路の検出出力が、所定値を下回ることを示す値
であるときには、イメージ除去回路に対して部分的に作動電源の供給を断つように作動態
様を切替えるため、これによる給電の停止に相応して消費電力の節減が図られ、更に、作
動電源の供給が断たれた回路部は作動中の回路部とは絶縁されるために、信号処理に関し
て無用な干渉が起こるような虞がなくなる。
【００１４】
（９）受信信号を該受信信号よりも周波数の低い中間周波信号へと周波数変換する処理を
含む信号処理を行う受信方法であって、前記中間周波信号に含まれるイメージ信号を除去
するイメージ除去回路の作動形態を当該イメージ信号のレベルの検出出力に応じて変更す
ること特徴とする受信方法。
上記（９）の受信方法では、イメージ信号のレベルが所定値を下回るときにはイメージ
除去回路の動作を部分的に停止する等の作動態様の変更を行えば、この停止に相応する消
費電力の節減が図られる。
【発明を実施するための最良の形態】
【００１５】
以下、本発明の実施の形態を図面を参照して説明する。尚、以下に参照する図において
は、便宜上、説明の主題となる要部は適宜誇張し、要部以外については適宜簡略化し乃至
省略されている。
【００１６】
図１は、本発明の第１の実施の形態に係る受信装置の構成を表すブロック図である。
図１において、図示しないアンテナで受信された搬送信号として、或いは、有線で配信
される搬送信号として供給される受信信号が、第１の系統１１１と第２の系統１１２との
２系統に分岐されてミキサ部１１０に各入力される。
ミキサ部１１０には第１の系統１１１に対応する第１の混合回路１１３および第２の系
統に対応する第２の混合回路１１４が設けられ、これらの混合回路１１３および１１４に
は、局部発振器１２０から発せられる局部発振信号が供給される。
【００１７】
即ち、局部発振器１２０から発せられる一方の出力信号系統１２１は、直接、第１の混
合回路１１３に供給され、他方の出力信号系統１２２は、９０°移相器１２３を介して、
第２の混合回路１１４に供給される。この結果、第１の混合回路１１３および第２の混合
回路１１４において、第１の系統１１１および第２の系統１１２の受信信号は、夫々、よ
り周波数の低い中間周波信号へと周波数変換される。
【００１８】
即ち、ミキサ部１１０は局部発振器１２０と共に受信信号を該受信信号よりも周波数の
低い中間周波信号へと周波数変換する周波数変換回路１３０を構成している。周波数変換
回路１３０（ミキサ部１１０）の出力は、中間周波信号に含まれるイメージ信号を除去す
るように機能し且つ帯域フィルタとして機能する中間周波数複素フィルタ１４０を通して
、第１の系統１４１および第２の系統１４２の２系統の信号として出力される。
上述のように入力信号は２つの系統に分かれる形で取り扱われるが、その一例において
は、第１の系統１１１の入力信号から第１の系統１４１の出力信号に到る系統はＩ信号の
系統であり、第２の系統１１２の入力信号から第２の系統１４２の出力信号に到る系統は
Ｑ信号の系統である。
【００１９】
この実施の形態では、上述のように、中間周波数の信号処理系に一方の系統と他方の系
統との間で信号の位相が直交するように設定された２つの系統を有し、且つ、該２つの系
統に対応する中間周波数複素フィルタ１４０を備え、該複素フィルタによってイメージ信
号の除去を行うようにして構成されており、従って、イメージ除去機能部としての中間周
波数複素フィルタ１４０とミキサ部１３０を含んで一点鎖線で囲んで示したようなイメー
ジ信号除去回路１５０が構成されていると見ることができる。
【００２０】
図１の実施の形態では、出力信号の第２の系統１４２にはイメージ信号のレベルを検出
するための検出点Ｐ１が設定され、この検出点Ｐ１からイメージ信号のレベルを検出する
イメージ信号レベル検出回路１６０が設けられている。イメージ信号除去回路１５０は、
このイメージ信号レベル検出回路１６０の検出出力に応じた作動形態で中間周波信号に含
まれるイメージ信号を除去する。イメージ信号のレベルを検出する処理およびイメージ信
号除去回路１５０の作動形態の切替え等については、後に図面を参照して更に詳細に説明
する。
尚、上述の例では、イメージ信号のレベルを検出するための検出点Ｐ１を出力信号の第
２の系統１４２に設定したが、これに替えて、出力信号の第１の系統１４１に検出点Ｐ１
を設定してもよく、これらは設計時の事情に応じて適宜に選択することができる。
【００２１】
図１の第１の実施の形態では、受信信号を周波数変換回路１３０によって中間周波信号
へと周波数変換し、この中間周波信号に含まれるイメージ信号をイメージ除去回路１５０
によって除去するが、イメージ信号レベル検出回路１６０によって検出されるイメージ信
号のレベルに応じて、イメージ除去回路１５０におけるイメージ信号除去の作動態様は切
替えられる。イメージ信号のレベルが所定値を下回るときにはイメージ除去回路の動作を
部分的に停止する等の作動態様の切替えを行えば、この停止に相応する消費電力の節減が
図られる。
【００２２】
図２は、本発明の第２の実施の形態に係る受信装置の構成を表すブロック図である。
図２において、図示しないアンテナで受信された搬送信号として、或いは、有線で配信
される搬送信号として供給される受信信号が、第１の系統２１１と第２の系統２１２との
２系統に分岐されてミキサ部２１０に各入力される。
ミキサ部２１０には第１の系統２１１に対応する第１の混合回路２１３および第２の系
統２１２に対応する第２の混合回路２１４が設けられ、これらの混合回路２１３および２
１４には、局部発振器２２０から発せられる局部発振信号が供給される。
【００２３】
図２に示された第２の実施の形態では、局部発振器２２０から発せられる一方の出力信
号系統２２１は、直接、第１の混合回路２１３に供給され、他方の出力信号系統２２２は
、９０°移相器２２３を介して、第２の混合回路２１４に供給される。この結果、第１の
混合回路２１３および第２の混合回路２１４において、第１の系統２１１および第２の系
統２１２の受信信号は、夫々、より周波数の低い中間周波信号へと周波数変換される。
【００２４】
即ち、ミキサ部２１０は局部発振器２２０と共に受信信号を該受信信号よりも周波数の
低い中間周波信号へと周波数変換する周波数変換回路２３０を構成している。周波数変換
回路２３０の２系統の出力信号、即ち、第１の出力信号系統２３１および第２の出力信号
系統２３２の各出力信号は加算回路２４０に供給されて加算され、イメージが除去された
出力信号を得るように構成されている。
【００２５】
図２の実施の形態では、周波数変換回路２３０（そのミキサ部２１０）の第１の混合回
路２１３から発せられる第１の出力信号系統２３１は、直接、加算回路２４０の一方の入
力端に供給され、他方、第２の混合回路２１４から発せられる第２の出力信号系統２３２
は、９０°移相器２３３を介して加算回路２４０の他方の入力端に供給される。この結果
、加算回路２４０の出力信号系統２４１にはイメージ信号が除去された出力信号が得られ
る。
【００２６】
この第２の実施の形態では、中間周波数の信号処理系に２つの系統を有し、且つ、該２
つの系統の何れか（図示の例では第２の出力信号系統２３２）に移相器（９０°移相器２
３３）が介挿され、該移相器が介挿されている系統と介挿されていない系統との各出力を
加算回路２４０で加算してイメージ信号の除去を行うように、一点鎖線で囲んで示したよ
うなイメージ信号除去回路２５０が構成されていると見ることができる。
【００２７】
図２の実施の形態では、出力信号系統２４１にはイメージ信号のレベルを検出するため
の検出点Ｐ２が設定され、この検出点Ｐ２からイメージ信号のレベルを検出するイメージ
信号レベル検出回路２６０が設けられている。上述のイメージ除去回路２５０は、イメー
ジ信号レベル検出回路２６０の検出出力に応じた作動形態で中間周波信号に含まれるイメ
ージ信号を除去する。イメージ信号のレベルを検出する処理に関する現象的説明は後に他
の実施の形態と共通の図面を参照して行なう。
【００２８】
図２の第２の実施の形態では、受信信号を周波数変換回路２３０によって中間周波信号
へと周波数変換し、この中間周波信号に含まれるイメージ信号をイメージ除去回路２５０
によって除去するが、イメージ信号レベル検出回路２６０によって検出されるイメージ信
号のレベルに応じて、イメージ除去回路２５０におけるイメージ信号除去の作動態様は切
替えられる。イメージ信号のレベルが所定値を下回るときにはイメージ除去回路の動作を
部分的に停止する等の作動態様の切替えを行えば、この停止に相応する消費電力の節減が
図られる。
【００２９】
図３は、本発明の第３の実施の形態に係る受信装置の構成を表すブロック図である。
図３において、図示しないアンテナで受信された搬送信号として、或いは、有線で配信
される搬送信号として供給される受信信号が、第１の系統３１１と第２の系統３１２との
２系統に分岐されてミキサ部３１０に各入力される。
ミキサ部３１０には第１の系統３１１に対応する第１の混合回路３１３および第２の系
統３１２に対応する第２の混合回路３１４が設けられ、これらの混合回路３１３および３
１４には、局部発振器３２０から発せられる局部発振信号が供給される。
【００３０】
図３に示された第３の実施の形態では、局部発振器３２０から発せられる一方の出力信
号系統３２１は、直接、第１の混合回路３１３に供給され、他方の出力信号系統３２２は
、９０°移相器３２３を介して、第２の混合回路３１４に供給される。この結果、第１の
混合回路３１３および第２の混合回路３１４において、第１の系統３１１および第２の系
統３１２の受信信号は、夫々、より周波数の低い中間周波信号へと周波数変換される。
【００３１】
即ち、ミキサ部３１０は局部発振器３２０と共に受信信号を該受信信号よりも周波数の
低い中間周波信号へと周波数変換する周波数変換回路３３０を構成している。周波数変換
回路３３０の２系統の出力信号、即ち、第１の出力信号系統３３１および第２の出力信号
系統３３２の各出力信号は加算回路３４０に供給されて加算され、イメージが除去された
出力信号を得るように構成されている。
【００３２】
図３の実施の形態では、周波数変換回路３３０（そのミキサ部３１０）の第１の混合回
路３１３から発せられる第１の出力信号系統３３１は、第１の中間周波フィルタ（図中、
ＩＦフィルタと表記）３３３を通して加算回路３４０の一方の入力端に供給され、他方、
第２の混合回路３１４から発せられる第２の出力信号系統３３２は、第２の中間周波フィ
ルタ（図中、ＩＦフィルタと表記）３３４を通し、更に、９０°移相器３３６を介して加
算回路３４０の他方の入力端に供給される。この結果、加算回路３４０の出力信号系統３
４１にはイメージ信号が除去された出力信号が得られる。この実施の形態では特に、第１
の出力信号系統３３１には第１の中間周波フィルタ３３３が、第２の出力信号系統３３２
には第２の中間周波フィルタ３３４が、各介挿されているため、所望信号のみを得られる
。
【００３３】
この第３の実施の形態では、中間周波数の信号処理系に２つの系統を有し、且つ、該２
つの系統（図示の例では、第１の出力信号系統３３１および第２の出力信号系統３３２）
に夫々中間周波フィルタ（図示の例では、第１の中間周波フィルタ３３３および第２の中
間周波フィルタ３３４）が介挿され、更に、その何れかの系統（図示の例では第２の出力
信号系統３３２）に移相器（９０°移相器３３６）が介挿され、該移相器が介挿されてい
る系統と介挿されていない系統との各出力を加算回路３４０で加算してイメージ信号の除
去を行うように、一点鎖線で囲んで示したようなイメージ信号除去回路３５０が構成され
ていると見ることができる。
【００３４】
図３の実施の形態では、出力信号系統３４１にはイメージ信号のレベルを検出するため
の検出点Ｐ３が設定され、この検出点Ｐ３からイメージ信号のレベルを検出するイメージ
信号レベル検出回路３６０が設けられている。上述のイメージ除去回路３５０は、イメー
ジ信号レベル検出回路３６０の検出出力に応じた作動形態で中間周波信号に含まれるイメ
ージ信号を除去する。イメージ信号のレベルを検出する処理に関する現象的説明は後に他
の実施の形態と共通の図面を参照して行なう。
【００３５】
図３の第３の実施の形態では、受信信号を周波数変換回路３３０によって中間周波信号
へと周波数変換し、この中間周波信号に含まれるイメージ信号をイメージ除去回路３５０
によって除去するが、イメージ信号レベル検出回路３６０によって検出されるイメージ信
号のレベルに応じて、イメージ除去回路３５０におけるイメージ信号除去の作動態様は切
替えられる。イメージ信号のレベルが所定値を下回るときにはイメージ除去回路の動作を
部分的に停止する等の作動態様の切替えを行えば、この停止に相応する消費電力の節減が
図られる。
【００３６】
図４は、本発明の第４の実施の形態に係る受信装置の構成を表すブロック図である。
図４において、図示しないアンテナで受信された搬送信号として、或いは、有線で配信
される搬送信号として供給される受信信号が、第１の系統４１１と第２の系統４１２との
２系統に分岐されて、第１の系統４１１は直接、第２の系統４１２は９０°移相器４１６
を介してミキサ部４１０に各入力される。
ミキサ部４１０には第１の系統４１１に対応する第１の混合回路４１３および第２の系
統４１２に対応する第２の混合回路４１４が設けられ、これらの混合回路４１３および４
１４には、局部発振器４２０から発せられる局部発振信号が供給される。
【００３７】
図４に示された第４の実施の形態では、局部発振器４２０から発せられる一方の出力信
号系統４２１は、直接、第１の混合回路４１３に供給され、他方の出力信号系統４２２は
、９０°移相器４２３を介して、第２の混合回路４１４に供給される。この結果、第１の
混合回路４１３および第２の混合回路４１４において、第１の系統４１１および第２の系
統４１２の受信信号は、夫々、より周波数の低い中間周波信号へと周波数変換される。
【００３８】
即ち、ミキサ部４１０は局部発振器４２０と共に受信信号を該受信信号よりも周波数の
低い中間周波信号へと周波数変換する周波数変換回路４３０を構成している。周波数変換
回路４３０の２系統の出力信号、即ち、第１の出力信号系統４３１および第２の出力信号
系統４３２の各出力信号は加算回路４４０に供給されて加算され、イメージが除去された
出力信号を得るように構成されている。
【００３９】
この第４の実施の形態では、受信信号を周波数変換回路４３０に導く搬送信号伝送路を
少なくとも何れか一方の系統（図示の実施の形態では、第２の系統４１２）には移相器（
図示の実施の形態では、９０°移相器４１６）が介挿された２つの搬送信号伝送系統を有
するものとして構成し、且つ、該２つの系統の各出力を加算回路４４０で加算してイメー
ジ信号の除去を行うように、一点鎖線で囲んで示したようなイメージ信号除去回路４５０
が構成されていると見ることができる。
【００４０】
図４の実施の形態では、出力信号系統４４１にはイメージ信号のレベルを検出するため
の検出点Ｐ４が設定され、この検出点Ｐ４からイメージ信号のレベルを検出するイメージ
信号レベル検出回路４６０が設けられている。上述のイメージ除去回路４５０は、イメー
ジ信号レベル検出回路４６０の検出出力に応じた作動形態で中間周波信号に含まれるイメ
ージ信号を除去する。イメージ信号のレベルを検出する処理に関する現象的説明は後に他
の実施の形態と共通の図面を参照して行なう。
【００４１】
図４の第４の実施の形態では、受信信号を周波数変換回路４３０によって中間周波信号
へと周波数変換し、この中間周波信号に含まれるイメージ信号をイメージ除去回路４５０
によって除去するが、イメージ信号レベル検出回路４６０によって検出されるイメージ信
号のレベルに応じて、イメージ除去回路４５０におけるイメージ信号除去の作動態様は切
替えられる。イメージ信号のレベルが所定値を下回るときにはイメージ除去回路の動作を
部分的に停止する等の作動態様の切替えを行えば、この停止に相応する消費電力の節減が
図られる。
【００４２】
図５は、本発明の第５の実施の形態に係る受信装置の構成を表すブロック図である。
図５において、図示しないアンテナで受信された搬送信号として、或いは、有線で配信
される搬送信号として供給される受信信号が、第１の系統５１１と第２の系統５１２との
２系統に分岐されて、第１の系統５１１は直接、第２の系統５１２は９０°移相器５１６
を介してミキサ部５１０に各入力される。
ミキサ部５１０には第１の系統５１１に対応する第１の混合回路５１３および第２の系
統５１２に対応する第２の混合回路５１４が設けられ、これらの混合回路５１３および５
１４には、局部発振器５２０から発せられる局部発振信号が供給される。
【００４３】
図５に示された第５の実施の形態では、局部発振器５２０から発せられる一方の出力信
号系統５２１は、直接、第１の混合回路５１３に供給され、他方の出力信号系統５２２は
、９０°移相器５２３を介して、第２の混合回路５１４に供給される。この結果、第１の
混合回路５１３および第２の混合回路５１４において、第１の系統５１１および第２の系
統５１２の受信信号は、夫々、より周波数の低い中間周波信号へと周波数変換される。
【００４４】
即ち、ミキサ部５１０は局部発振器５２０と共に受信信号を該受信信号よりも周波数の
低い中間周波信号へと周波数変換する周波数変換回路５３０を構成している。周波数変換
回路５３０の２系統の出力信号、即ち、第１の出力信号系統５３１および第２の出力信号
系統５３２の各出力信号は、夫々、加算回路５４０に供給されて加算され、イメージが除
去された出力信号を得るように構成されている。
【００４５】
図５の実施の形態では、周波数変換回路５３０（そのミキサ部５１０）の第１の混合回
路５１３から発せられる第１の出力信号系統５３１は、第１の中間周波フィルタ（図中、
ＩＦフィルタと表記）５３３を通して加算回路５４０の一方の入力端に供給され、他方、
第２の混合回路５１４から発せられる第２の出力信号系統５３２は、第２の中間周波フィ
ルタ（図中、ＩＦフィルタと表記）５３４を通して加算回路５４０の他方の入力端に供給
される。
【００４６】
この結果、加算回路５４０の出力信号系統５４１にはイメージ信号が除去された出力信
号が得られる。この実施の形態では特に、第１の出力信号系統５３１には第１の中間周波
フィルタ５３３が、第２の出力信号系統５３２には第２の中間周波フィルタ５３４が、各
介挿されているため、所望信号のみを得られる。この第５の実施の形態では、受信信号を
周波数変換回路５３０に導く搬送信号伝送路を少なくとも何れか一方の系統（図示の実施
の形態では、第２の系統５１２）には移相器（図示の実施の形態では、９０°移相器５１
６）が介挿された２つの搬送信号伝送系統を有するものとして構成し、且つ、該２つの系
統の各出力を加算回路５４０で加算してイメージ信号の除去を行うように、一点鎖線で囲
んで示したようなイメージ信号除去回路５５０が構成されていると見ることができる。
【００４７】
図５の実施の形態では、出力信号系統５４１にはイメージ信号のレベルを検出するため
の検出点Ｐ５が設定され、この検出点Ｐ５からイメージ信号のレベルを検出するイメージ
信号レベル検出回路５６０が設けられている。上述のイメージ除去回路５５０は、イメー
ジ信号レベル検出回路５６０の検出出力に応じた作動形態で中間周波信号に含まれるイメ
ージ信号を除去する。イメージ信号のレベルを検出する処理に関する現象的説明は後に他
の実施の形態と共通の図面を参照して行なう。
【００４８】
図５の第５の実施の形態では、受信信号を周波数変換回路５３０によって中間周波信号
へと周波数変換し、この中間周波信号に含まれるイメージ信号をイメージ除去回路５５０
によって除去するが、イメージ信号レベル検出回路５６０によって検出されるイメージ信
号のレベルに応じて、イメージ除去回路５５０におけるイメージ信号除去の作動態様は切
替えられる。イメージ信号のレベルが所定値を下回るときにはイメージ除去回路の動作を
部分的に停止する等の作動態様の切替えを行えば、この停止に相応する消費電力の節減が
図られる。
【００４９】
図６は、図１乃至図５の、第１の実施の形態乃至第５の実施の形態に適用されるイメー
ジ信号レベル検出回路の構成例を表すブロック図である。
図６において、第１の実施の形態乃至第５の実施の形態における上述の検出点Ｐ１乃至
Ｐ５は、代表的にＰｎとして示されている。中間周波信号に含まれるイメージ信号の検出
点Ｐｎから入力される信号は、先ず、積分回路６０１によって被検出信号であるイメージ
信号と一定の関係にある直流電圧に変換され、次段の電圧比較回路６０２で基準電圧源６
０３から供給される基準電圧値と比較されて、例えば、積分回路６０１の出力たる直流電
圧値がこの基準電圧値以上であるときには１、この基準電圧値未満であるときには０とな
る２値信号に変換される。この２値信号の形態をとるイメージ信号レベル検出回路の出力
に基づいて、図面を参照して後述するような、省電力のための制御が実行される。
【００５０】
図７は、図１の第１の実施の形態におけるイメージ信号のレベルを検出するためのイメ
ージ信号を抽出する処理に関する現象的説明のための図である。
図７の（ａ）部は、図１の中間周波数複素フィルタ１４０による通常のイメージ抑圧の
作用を表している。通常のイメージ抑圧作用においては、所望信号となる中間周波数の帯
域フィルタ（同図においてIF Filterと表記）として機能せしめ、所望の中間周波信号（
同図において所望のIF 信号と表記）を抽出する。
【００５１】
これに対し、図７の（ｂ）部は、中間周波数複素フィルタ１４０をイメージ信号抽出の
ために機能せしめる場合を表している。イメージ信号の抽出においては、イメージ信号に
対応する中間周波数の帯域フィルタ（同図においてIF Filterと表記）として機能せしめ
、抽出対象とされる中間周波数のイメージ信号（同図に下段に表記）を抽出する。
上述のように、中間周波数複素フィルタの機能を切換えるための回路動作の例について
は、後に回路の構成例を表す図１０および図１１を参照して説明する。
【００５２】
図８は、図１乃至図５の、第１乃至第５の実施の形態におけるイメージ信号のレベルを
検出するためのイメージ信号を抽出する処理に関する現象的説明のための図である。
通常、中間周波数の帯域フィルタ（同図においてIF Filterと表記）を所望信号の抽出
のために用いる場合には、同図の左上段および左中段のような関係で入力搬送信号（同図
においてRF信号と表記）と局部発振器の信号（同図においてLOと表記）とが周波数軸上に
位置する関係に設定し、同図右上の枠内に示されたように中間周波数の帯域フィルタ（同
図においてIF Filterと表記）で所望の中間周波信号（同図において所望のIF 信号と表記
）を抽出する。
【００５３】
これに対し、イメージ信号を抽出するに際しては、同図の左下段のような関係で入力搬
送信号（同図においてRF信号と表記）と局部発振器の信号（同図においてLOと表記）とが
周波数軸上に位置する関係となるように局部発振器の信号周波数を変更する。そして、同
図右下の枠内に示されたように中間周波数の帯域フィルタ（同図においてIF Filterと表
記）でイメージの中間周波信号（同図においてイメージ信号と表記）を抽出する。
上述のような局部発振器の信号周波数の変更は、図１の第１の実施の形態乃至図５の第
５の実施の形態において、各局部発振器１２０、２２０、３２０、４２０、および、５２
０の発振周波数を変更することに該当する。
【００５４】
図９は、図１の実施の形態におけるミキサ部１１０の構成例を表す回路図である。尚、
図９では、説明の便宜上、図１における、第１の系統１１１の入力信号から第１の系統１
４１の出力信号に到る系統はＩ信号の系統であり、第２の系統１１２の入力信号から第２
の系統１４２の出力信号に到る系統はＱ信号の系統である場合を想定している。
図中、左半分を占める回路部がＩ信号の系統に関するミキサ回路であり、抵抗Ｒ11、Ｒ
12、トランジスタＴｒ11、Ｔｒ12、Ｔｒ13、Ｔｒ14、Ｔｒ15、Ｔｒ16、Ｔｒ17、および、
定電流源９１等を含んで図示のような接続関係で構成される。
【００５５】
また、図中、右半分を占める回路部がＱ信号の系統に関するミキサ回路であり、抵抗Ｒ
21、Ｒ22、トランジスタＴｒ21、Ｔｒ22、Ｔｒ23、Ｔｒ24、Ｔｒ25、Ｔｒ26、Ｔｒ27、お
よび、定電流源９２等を含んで図示のような接続で構成され、特に、動作用の電源Ｖccか
らこのミキサに給電される部分、即ち、電源Ｖccと抵抗Ｒ21間にスイッチング素子９０１
が介挿され、同様に、電源Ｖccと抵抗Ｒ22間にスイッチング素子９０２が介挿されている
。
【００５６】
搬送波の入力信号（ＲＦ）は端子９１１と接地間に供給される。Ｉ信号の系統の局部発
振周波数信号は端子９１２（ＬＯ＿Ｉ＋）および端子９１３（ＬＯ＿Ｉ−）間に供給され
る。Ｉ信号の系統の中間周波信号は端子９１５および端子９１６間（ＩＦ＿Ｉ）から出力
される。また、Ｑ信号の系統の局部発振周波数信号は端子９２２（ＬＯ＿Ｑ＋）および端
子９２３（ＬＯ＿Ｑ−）間に供給される。Ｑ信号の系統の中間周波信号は端子９２５およ
び端子９２６間（ＩＦ＿Ｑ）から出力される。
【００５７】
図９のミキサ部では、図１および図６を参照して説明したイメージ信号レベル検出回路
１６０の検出出力が「０」、即ち、イメージ信号のレベルが所定値未満であるときには、
当該検出出力に相応する制御信号ＣＳｍを上述のスイッチング素子９０１および９０２に
供給しスイッチをオフにして電源Ｖccからの給電を絶ち、イメージ除去回路の動作を部分
的に停止し（即ち、Ｑ信号の系統の回路を不作動にして）、この停止に相応する消費電力
の節減る図ことができる。
【００５８】
一方、イメージ信号レベル検出回路１６０の検出出力が「１」、即ち、イメージ信号の
レベルが所定値以上であるときには、当該検出出力に相応する制御信号ＣＳｍを上述のス
イッチング素子９０１および９０２に供給しスイッチをオンにして電源Ｖccからの給電を
行いイメージ除去回路全体を作動させて（即ち、Ｉ信号の系統およびＱ信号の系統の双方
の回路を全て作動させて）、効果的にイメージ信号の抑圧ができるようにする。
図９で説明した給電停止手法以外にも、Ｔｒ25、Ｔｒ27、および定電流源９２のみをオ
フするなど、の手法もとり得る。
【００５９】
図１０は、図１の実施の形態における中間周波数複素フィルタ１４０の回路構成の一例
を表す回路図であり、図１１は、図１０の回路を構成する一方の系統の回路を表す回路図
である。
【００６０】
図１１の回路は、これを２連設けて後述するように接続する（両回路間を抵抗で所謂ク
ロスカップルする）ことにより図１０の回路を構成する要素となる回路である。図１１の
回路は、図１における、第１の系統１１１の入力信号から第１の系統１４１の出力信号に
到るＩ信号の系統に属するものである。
図１１において、Ｉ信号の系統の入力信号が印加される端子１１０１および端子１１０
２は、各対応する抵抗Ｒ11および抵抗Ｒ12を通して、差動増幅器１１の反転入力端および
非反転入力端に接続されている。差動増幅器１１の非反転出力端は、コンデンサＣ11と抵
抗Ｒ21との並列回路を通して差動増幅器１１の反転入力端に接続されている。一方、差動
増幅器１１の反転出力端は、コンデンサＣ12と抵抗Ｒ22との並列回路を通して差動増幅器
１１の非反転入力端に接続されている。
【００６１】
また、差動増幅器１１の非反転出力端は、抵抗Ｒ41を通して差動増幅器１２の反転入力
端に接続され、差動増幅器１１の反転出力端は、抵抗Ｒ42を通して差動増幅器１２の非反
転入力端に接続されている。差動増幅器１２の非反転出力端はコンデンサＣ21を通して差
動増幅器１２の非反転入力端に接続され、差動増幅器１２の反転出力端はコンデンサＣ22
を通して差動増幅器１２の非反転入力端に接続されている。
【００６２】
更に、差動増幅器１１の反転入力端は抵抗Ｒ31を通して差動増幅器１２の反転出力端に
接続され、差動増幅器１１の非反転入力端は抵抗Ｒ32を通して差動増幅器１２の非反転出
力端に接続されている。差動増幅器１２の非反転出力端および反転出力端が各出力端子１
１０５，１１０６に接続されている。出力端子１１０５，１１０６間の出力がローパスフ
ィルタとしての出力となり、一方、差動増幅器１１の非反転出力端および反転出力端が各
出力端子１１０３，１１０４に接続されて、これら出力端子１１０３，１１０４間の出力
がバンドパスフィルタとしての出力となる。
【００６３】
図１０の回路は、図１１の回路と同様の構成を有する回路を２系統並列にしてクロスカ
ップルに接続して構成されている。図示の通り、差動増幅器１１の非反転出力端がスイッ
チング素子ＳＷ1および抵抗Ｒ51を介して差動増幅器２１１の反転入力端に接続され、差
動増幅器１１の反転出力端がスイッチング素子ＳＷ2および抵抗Ｒ52を介して差動増幅器
２１１の非反転入力端に接続されている。
また、差動増幅器１１の反転入力端がスイッチング素子ＳＷ4および抵抗Ｒ62を介して
差動増幅器２１１の反転出力端に接続され、差動増幅器１１の非反転入力端がスイッチン
グ素子ＳＷ3および抵抗Ｒ61を介して差動増幅器２１１の非反転出力端に接続されている
。
【００６４】
同様に、差動増幅器１２の非反転出力端がスイッチング素子ＳＷ5および抵抗Ｒ71を介
して差動増幅器２１２の反転入力端に接続され、差動増幅器１２の反転出力端がスイッチ
ング素子ＳＷ6および抵抗Ｒ72を介して差動増幅器２１２の非反転入力端に接続されてい
る。
また、差動増幅器１２の反転入力端がスイッチング素子ＳＷ8および抵抗Ｒ82を介して
差動増幅器２１２の反転出力端に接続され、差動増幅器１２の非反転入力端がスイッチン
グ素子ＳＷ7および抵抗Ｒ81を介して差動増幅器２１２の非反転出力端に接続されている
。
【００６５】
図１１を参照して上述した差動増幅器１１および差動増幅器１２が抵抗Ｒ41、Ｒ42を介
して従属接続された部分を含んで構成される回路部がＩ信号の系統に該当するフィルタ機
能部であり、同様の構成を有する差動増幅器２１１および差動増幅器２１２が抵抗Ｒ241
、Ｒ242を介して従属接続された部分を含んで構成される回路部がＱ信号の系統に該当す
るフィルタ機能部である。Ｑ信号の系統に該当するフィルタ機能部は、差動増幅器２１１
の反転入力端と非反転入力端に各対応する端子２１０１および２１０２を入力端子、差動
増幅器２１２の非反転出力端と反転出力端に各対応する端子２１０５および２１０６を出
力端子として構成されている。
【００６６】
以上の構成を有する図１１の中間周波数フィルタ１４０を、図７を参照して説明したイ
メージ信号抽出のために機能せしめるためには、Ｉ信号の系統とＱ信号の系統の信号の位
相差（Ｉ信号に対するＱ信号の位相）が９０°の遅れから−９０°の遅れ（９０°進相）
となるように切替えることを要し、これは、上述のＩ信号の系統の入力信号が印加される
端子１１０１および端子１１０２への入力を、例えば切替スイッチによって、両端子間で
反転するように切替えることによって行なわれ得る。
【００６７】
図１０の回路では、図１および図６を参照して説明したイメージ信号レベル検出回路１
６０の検出出力が「０」、即ち、イメージ信号のレベルが所定値未満であるときには、Ｑ
信号の系統への作動電源（不図示）の供給を絶ち、且つ、当該検出出力に相応する制御信
号ＣＳｆを上述の各スイッチング素子ＳＷ1、ＳＷ2、ＳＷ3、ＳＷ4、ＳＷ5、ＳＷ6、ＳＷ
7、および、ＳＷ8に供給しスイッチをオフにしてＱ信号の系統に該当するフィルタ機能部
をＩ信号の系統に該当するフィルタ機能部から絶縁する。
【００６８】
このように、Ｑ信号の系統を不作動にし、且つ、Ｉ信号の系統から絶縁した状態は、換
言すれば、図１１の構成の回路のみで作動する状態であるということができる。
イメージ信号レベル検出回路１６０の検出出力が、例えばイメージ信号のレベルが所定
値（図６の基準電圧源６０３から供給される基準電圧値）を下回ることを示す値であると
きには、イメージ除去回路に対して部分的に作動電源の供給を断つように作動態様を切替
えるため、この停止に相応して確実に消費電力の節減が図られ、更に、作動電源の供給が
断たれた回路部は作動中の回路部とは絶縁されるために、信号処理に関して無用な干渉や
所謂回り込みが起こるような虞がなくなる。
【００６９】
以上説明したところから容易に理解されるとおり、上述の発明は、受信信号を該受信信
号よりも周波数の低い中間周波信号へと周波数変換する処理を含む信号処理を行う受信方
法であって、前記中間周波信号に含まれるイメージ信号を除去するイメージ除去回路の作
動形態を当該イメージ信号のレベルの検出出力に応じて変更すること特徴とする受信方法
として観念することができる。
【００７０】
この発明方法によれば、検出されたイメージ信号のレベルが所定値を下回るときにはイ
メージ除去回路の動作を部分的に停止する等の作動態様の変更を行えば、この停止に相応
する消費電力の節減が図られる。
【図面の簡単な説明】
【００７１】
【図１】本発明の第１の実施の形態に係る受信装置の構成を表すブロック図である。
【図２】本発明の第２の実施の形態に係る受信装置の構成を表すブロック図である。
【図３】本発明の第３の実施の形態に係る受信装置の構成を表すブロック図である。
【図４】本発明の第４の実施の形態に係る受信装置の構成を表すブロック図である。
【図５】本発明の第５の実施の形態に係る受信装置の構成を表すブロック図である。
【図６】図１乃至図５の、第１の実施の形態乃至第５の実施の形態に適用されるイメージ信号レベル検出回路の構成例を表すブロック図である。
【図７】図１の第１の実施の形態におけるイメージ信号のレベルを検出するためのイメージ信号を抽出する処理に関する現象的説明のための図である。
【図８】図２乃至図５の、第２乃至第５の実施の形態におけるイメージ信号のレベルを検出するためのイメージ信号を抽出する処理に関する現象的説明のための図である。
【図９】図１の実施の形態におけるミキサ部の構成例を表す回路図である。
【図１０】図１の実施の形態における中間周波数複素フィルタの回路構成の一例を表す回路図である。
【図１１】図１０の回路を構成する一方の系統の回路を表す回路図である。
【符号の説明】
【００７２】
１１０、２１０、３１０、４１０、５１０…ミキサ部  １２０、２２０、３２０、４２
０、５２０…局部発振器  １３０、２３０、３３０、４３０、５３０…周波数変換回路  
１４０…中間周波数複素フィルタ  １５０、２５０、３５０、４５０、５５０…イメージ
信号除去回路  １６０、２６０、３６０、４６０、５６０…イメージ信号レベル検出回路
【図１】
2007312178.tif 000003
【図２】
2007312178.tif 000004
【図３】
2007312178.tif 000005
【図４】
2007312178.tif 000006
【図５】
2007312178.tif 000007
【図６】
2007312178.tif 000008
【図７】
2007312178.tif 000009
【図８】
2007312178.tif 000010
【図９】
2007312178.tif 000011
【図１０】
2007312178.tif 000012
【図１１】
2007312178.tif 000013